(57)【要約】      （修正有）【課題】無線通信のための半永久的資源割り当てメッセージを利用して、再伝送資源割り当てを指示する方法を提供する。【解決手段】端末１０１（ＵＥ）は、半永久的資源割り当てメッセージを受信し、半永久的資源割り当てメッセージに含まれている用途情報を基盤にして半永久的資源割り当てメッセージが再伝送資源割り当てまたは半永久的資源割り当てを指示しているかを判断し、半永久的資源割り当てメッセージが再伝送資源割り当てを指示していれば、半永久的資源割り当てメッセージに含まれている資源割り当て情報を基盤にして再伝送動作を実行する。【選択図】図１
2016026417.tif 000002
【特許請求の範囲】
【請求項１】
無線通信システムにおける端末の資源割り当て方法において、
物理下向きリンク制御チャネル（Ｐｈｙｓｉｃａｌ  Ｄｏｗｎｌｉｎｋ  Ｃｏｎｔｒｏｌ  Ｃｈａｎｎｅｌ；以下、ＰＤＣＣＨという）をモニターするステップと、
下向きリンクメッセージが前記ＰＤＣＣＨを通じて受信されると、前記端末の半永久的スケジューリングセル無線網臨時指示子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ；以下、ＳＰＳ  Ｃ−ＲＮＴＩという）を用いて前記受信されたメッセージが半永久的資源割り当てメッセージであるか否かを判断するステップと、
前記半永久的資源割り当てメッセージの新規データ指示子（Ｎｅｗ  Ｄａｔａ  Ｉｎｄｉｃａｔｏｒ；以下、ＮＤＩという）が１であると、前記半永久的資源割り当てメッセージが再伝送資源を指示するものと判断するステップと、
前記半永久的資源割り当てメッセージの前記ＮＤＩが０であると、前記半永久的資源割り当てメッセージが半永久的資源を指示するものと判断するステップと、
前記ＮＤＩが０であると、前記半永久的資源の活性化の有無を考慮し、前記半永久的資源を変更するステップと、
を含むことを特徴とする資源割り当て方法。
【請求項２】
前記半永久的資源割り当てメッセージは、前記再伝送資源または前記半永久的資源に関する伝送資源情報を含むことを特徴とする請求項１に記載の資源割り当て方法。
【請求項３】
前記ＮＤＩが０であると、前記半永久的資源を通じて新たなデータパケットを周期的に受信するステップをさらに含むことを特徴とする請求項１に記載の資源割り当て方法。
【請求項４】
前記ＮＤＩが１であると、前記再伝送資源を通じて再伝送データパケットを１回受信するステップをさらに含むことを特徴とする請求項１に記載の資源割り当て方法。
【請求項５】
前記受信されたメッセージが前記半永久的資源割り当てメッセージであるか否かを判断するステップは、
前記受信されたメッセージに対して、前記端末の前記ＳＰＳ  Ｃ−ＲＮＴＩを用いて周期的冗長検査（Ｃｙｃｌｉｃ  Ｒｅｄｕｎｄａｎｃｙ  Ｃｈｅｃｋ；以下、ＣＲＣという）テストを行うステップと、
前記受信されたメッセージが前記ＣＲＣテストを通過すると、前記受信されたメッセージを前記半永久的資源割り当てメッセージとして判断するステップと、を含むことを特徴とする請求項１に記載の資源割り当て方法。
【請求項６】
無線通信システムにおける基地局の資源割り当て方法において、
再伝送資源が端末に割り当てられると、新規データ指示子（Ｎｅｗ  Ｄａｔａ  Ｉｎｄｉｃａｔｏｒ；以下、ＮＤＩという）を１に設定するステップと、
半永久的資源が前記端末に割り当てられると、前記ＮＤＩを０に設定するステップと、
前記端末の半永久的スケジューリングセル無線網臨時指示子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ；以下、ＳＰＳ  Ｃ−ＲＮＴＩという）を用いて前記ＮＤＩを含む半永久的資源割り当てメッセージを生成するステップと、
物理下向きリンク制御チャネル（Ｐｈｙｓｉｃａｌ  Ｄｏｗｎｌｉｎｋ  Ｃｏｎｔｒｏｌ  Ｃｈａｎｎｅｌ；以下、ＰＤＣＣＨという）を通じて前記半永久的資源割り当てメッセージを前記端末に伝送するステップと、を含み、
前記半永久的資源割り当てメッセージは、
前記ＮＤＩが０であると、前記半永久的資源の活性化の有無を考慮し、前記半永久的資源を変更するように指示することを特徴とする資源割り当て方法。
【請求項７】
前記半永久的資源割り当てメッセージは、前記再伝送資源または前記半永久的資源に関する伝送資源情報を含むことを特徴とする請求項６に記載の資源割り当て方法。
【請求項８】
前記ＮＤＩが０であると、前記半永久的資源を通じて新たなデータパケットを周期的に伝送するステップをさらに含むことを特徴とする請求項６に記載の資源割り当て方法。
【請求項９】
前記ＮＤＩが１であると、前記再伝送資源を通じて再伝送データパケットを１回伝送するステップをさらに含むことを特徴とする請求項６に記載の資源割り当て方法。
【請求項１０】
前記半永久的資源割り当てメッセージは、前記ＳＰＳ  Ｃ−ＲＮＴＩを用いて計算された周期的冗長検査（Ｃｙｃｌｉｃ  Ｒｅｄｕｎｄａｎｃｙ  Ｃｈｅｃｋ；以下、ＣＲＣという）コードを含むことを特徴とする請求項６に記載の資源割り当て方法。
【請求項１１】
無線通信システムにおける端末において、
データを送受信するための送受信部と、
物理下向きリンク制御チャネル（Ｐｈｙｓｉｃａｌ  Ｄｏｗｎｌｉｎｋ  Ｃｏｎｔｒｏｌ  Ｃｈａｎｎｅｌ；以下、ＰＤＣＣＨという）をモニターし、
下向きリンクメッセージが前記ＰＤＣＣＨを通じて受信されると、前記端末の半永久的スケジューリングセル無線網臨時指示子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ；以下、ＳＰＳ  Ｃ−ＲＮＴＩという）を用いて前記受信されたメッセージが半永久的資源割り当てメッセージであるか否かを判断するＰＤＣＣＨ処理部と、
前記半永久的資源割り当てメッセージの新規データ指示子（Ｎｅｗ  Ｄａｔａ  Ｉｎｄｉｃａｔｏｒ；以下、ＮＤＩという）が１であると、前記半永久的資源割り当てメッセージが再伝送資源を指示するものと判断し、前記半永久的資源割り当てメッセージの前記ＮＤＩが０であると、前記半永久的資源割り当てメッセージが半永久的資源を指示するものと判断する半永久的資源制御部と、を含み、
前記ＮＤＩが０であると、前記半永久的資源の活性化の有無が考慮され、前記半永久的資源が変更されることを特徴とする端末。
【請求項１２】
前記半永久的資源割り当てメッセージは、前記再伝送資源または前記半永久的資源に関する伝送資源情報を含むことを特徴とする請求項１１に記載の端末。
【請求項１３】
前記送受信部は、
前記ＮＤＩが０であると、前記半永久的資源を通じて新たなデータパケットを周期的に受信することを特徴とする請求項１１に記載の端末。
【請求項１４】
前記送受信部は、
前記ＮＤＩが１であると、前記再伝送資源を通じて再伝送データパケットを１回受信することを特徴とする請求項１１に記載の端末。
【請求項１５】
前記ＰＤＣＣＨ処理部は、前記受信されたメッセージに対して、前記端末の前記ＳＰＳ  Ｃ−ＲＮＴＩを用いて周期的冗長検査（Ｃｙｃｌｉｃ  Ｒｅｄｕｎｄａｎｃｙ  Ｃｈｅｃｋ；以下、ＣＲＣという）テストを行い、前記受信されたメッセージが前記ＣＲＣテストを通過すると、前記受信されたメッセージを前記半永久的資源割り当てメッセージとして判断することを特徴とする請求項１１に記載の端末。
【請求項１６】
無線通信システムにおける基地局において、
再伝送資源が端末に割り当てられると、新規データ指示子（Ｎｅｗ  Ｄａｔａ  Ｉｎｄｉｃａｔｏｒ；以下、ＮＤＩという）を１に設定し、半永久的資源が前記端末に割り当てられると、前記ＮＤＩを０に設定する半永久的資源制御機と、
前記端末の半永久的スケジューリングセル無線網臨時指示子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ；以下、ＳＰＳ  Ｃ−ＲＮＴＩという）を用いて前記ＮＤＩを含む半永久的資源割り当てメッセージを生成する資源割り当てメッセージ生成器と、
物理下向きリンク制御チャネル（Ｐｈｙｓｉｃａｌ  Ｄｏｗｎｌｉｎｋ  Ｃｏｎｔｒｏｌ  Ｃｈａｎｎｅｌ；以下、ＰＤＣＣＨという）を通じて前記半永久的資源割り当てメッセージを前記端末に伝送する送受信部と、を含み、
前記半永久的資源割り当てメッセージは、
前記ＮＤＩが０であると、前記半永久的資源の活性化の有無を考慮し、前記半永久的資源を変更するように指示することを特徴とする基地局。
【請求項１７】
前記半永久的資源割り当てメッセージは、前記再伝送資源または前記半永久的資源に関する伝送資源情報を含むことを特徴とする請求項１６に記載の基地局。
【請求項１８】
前記送受信部は、
前記ＮＤＩが０であると、前記半永久的資源を通じて新たなデータパケットを周期的に伝送することを特徴とする請求項１６に記載の基地局。
【請求項１９】
前記送受信部は、
前記ＮＤＩが１であると、前記再伝送資源を通じて再伝送データパケットを１回伝送することを特徴とする請求項１６に記載の基地局。
【請求項２０】
前記半永久的資源割り当てメッセージは、前記ＳＰＳ  Ｃ−ＲＮＴＩを用いて計算された周期的冗長検査（Ｃｙｃｌｉｃ  Ｒｅｄｕｎｄａｎｃｙ  Ｃｈｅｃｋ；以下、ＣＲＣという）コードを含むことを特徴とする請求項１６に記載の基地局。
【発明の詳細な説明】
【技術分野】
【０００１】
本発明は、無線通信システムに関し、特に、再伝送資源割り当てを指示する半永久的資源割り当てメッセージを利用して再伝送資源を割り当てるための無線通信システムのデータ再伝送資源割り当て方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）システムは、ヨーロッパ式移動通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）を基盤として広帯域（Ｗｉｄｅｂａｎｄ）符号分割多重接続（Ｃｏｄｅ  Ｄｉｖｉｓｉｏｎ  Ｍｕｌｔｉｐｌｅ  Ａｃｃｅｓｓ、以下、ＣＤＭＡという）を使用する第３世代非同期移動通信システムである。
【０００３】
現在、ＵＭＴＳ標準化を担当している３ＧＰＰ（３ｒｄ  Ｇｅｎｅｒａｔｉｏｎ  Ｐａｒｔｎｅｒｓｈｉｐ  Ｐｒｏｊｅｃｔ）では、ＵＭＴＳシステムの次世代移動通信システムとしてＬＴＥ（Ｌｏｎｇ  Ｔｅｒｍ  Ｅｖｏｌｕｔｉｏｎ）に対する論議が進行中にある。ＬＴＥは、最大１００Ｍｂｐｓ程度の伝送速度を有する高速パケット基盤通信を具現する技術であって、２０１０年頃に商用化することを目標にしている。このために、様々な方案が論議されているが、例えば、ネットワークの構造を簡単にして、通信路上に位置するノードの数を低減する方案や、無線プロトコルを最大限無線チャネルに近接させる方案などが論議中にある。
【０００４】
特に、ＬＴＥは、パケット当たりスケジューリングを通じて資源を割り当て、割り当てられた資源によって通信を行う場合、スケジューリングを要請する情報及び伝送資源割り当て情報などが伝送され、制御情報による過度なトラフィックが発生することができる。したがって、半永久的に持続的な伝送資源を割り当てる半永久的伝送資源割り当て技法（ＳＰＳ、ｓｅｍｉ  ｐｅｒｓｉｓｔｅｎｔ  ｓｃｈｅｄｕｌｉｎｇ）を利用する。また、ＬＴＥは、最初伝送したパケットに対する再伝送を支援する。これは、ＡＲＱ（Ａｕｔｏｍａｔｉｃ  Ｒｅｐｅａｔ  ｒｅｑｕｅｓｔ）またはＨＡＲＱ（Ｈｙｂｒｉｄ−Ａｕｔｏｍａｔｉｃ  Ｒｅｐｅａｔｒｅ  ｒｅｑｕｅｓｔ）を通じて行われる。
【０００５】
一般的な伝送資源の場合、パケットを最初伝送する場合及びパケットを再伝送する場合を含み、パケットを伝送する毎に伝送されるパケットの伝送資源を通知する“一般的な伝送資源割り当てメッセージ”が伝送される。一方、半永久的伝送資源は、所定のサイズの伝送資源（例えば、１以上のリソースブロック）が所定の周期で伝送資源に割り当てられ、携帯端末機１００は、割り当てられた周期で当該半永久的伝送資源を通じてパケットを受信する。このような理由で、割り当てられた半永久的伝送資源を通じてパケットを伝送する場合に、基地局２００は、半永久的伝送資源割り当てメッセージを伝送しない。
【０００６】
このような理由で、半永久的伝送資源の場合には、最近受信したパケットに対する状態を保存する値を利用して、別に伝送資源割り当てがない最初伝送パケットに対して再伝送可否を区分するが、これは、端末の複雑度を増加させる。特に、半永久的伝送資源割り当てメッセージを予想外の理由によって受信しないか、または受信を失敗した場合に、後続に受信される半永久的伝送資源割り当てメッセージが、半永久的伝送資源の割り当て（または再割り当て）のためのメッセージであるか、あるいは、半永久的伝送資源を通じて伝送したパケットの再伝送による資源割り当てのためのメッセージであるかを区分することができない。
【先行技術文献】
【特許文献】
【０００７】
【特許文献１】特表２０１１−５１１５２８号
【特許文献２】特表２０１１−５１７８８６号
【特許文献３】特表２０１０−５３４９９７号
【非特許文献】
【０００８】
【非特許文献１】Email Rapporteur，3GPP TSG-RAN WG2 #62bis R2-083144，Summary of the   email discussion on remaining issues on Semi Persistent Scheduling，  ２００８年  ６月３０日
【発明の概要】
【発明が解決しようとする課題】
【０００９】
前述したような従来技術の問題点及び／または短所を解決するために、本発明は、再伝送資源割り当てと半永久的資源割り当てを区分して指示するための半永久的資源割り当てメッセージを利用して再伝送資源を割り当てる無線通信のための再伝送資源割り当てを提供する。
【課題を解決するための手段】
【００１０】
本発明の一実施例によれば、無線通信システムの再伝送資源割り当て方法が提供される。前記方法は、端末で半永久的資源割り当てメッセージを受信し；前記半永久的資源割り当てメッセージに含まれている用途情報を基盤にして前記半永久的資源割り当てメッセージが再伝送資源割り当てまたは半永久的資源割り当てを指示しているかを判断し；前記半永久的資源割り当てメッセージが再伝送資源割り当てを指示していれば、前記半永久的資源割り当てメッセージに含まれている資源割り当て情報を基盤にして再伝送動作を実行することを含む。
【００１１】
また、本発明の他の実施例によれば、無線通信システムの再伝送資源割り当て方法が提供される。前記方法は、基地局で端末に対して半永久的資源または再伝送資源を割り当て；半永久的資源割り当てまたは再伝送資源割り当てを指示する用途情報を含む半永久的資源割り当てメッセージを生成し；前記端末の半永久的スケジューリングセル無線網臨時指示子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ、ＳＰＳＣ−ＲＮＴＩ）を利用して周期的冗長検査（ＣＲＣ）コードを生成し；前記半永久的資源割り当てメッセージに前記ＣＲＣコードを付加し；前記半永久的資源割り当てメッセージを前記端末に伝送することを含む。
【００１２】
また、本発明のさらに他の実施例によれば、移動端末の再伝送装置が提供される。前記装置は、データを受信するための送受信部と；前記データに対して周期的冗長検査（ＣＲＣ）を行い、前記データが移動端末に伝送される半永久的資源割り当てメッセージであるかを判断するために、前記端末の半永久的スケジューリング識別子を利用する物理下向き制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）処理部と；前記データが前記移動端末に伝送される前記半永久的資源割り当てメッセージである場合、前記半永久的資源割り当てメッセージの用途情報が半永久的資源割り当てを指示するかまたは再伝送資源を指示するかを判断し、前記半永久的資源割り当てメッセージが再伝送資源割り当てを指示する場合、前記半永久的資源割り当てメッセージに含まれた資源割り当て情報によって再伝送動作を行う半永久的資源制御機と；を含む。
【００１３】
また、本発明のさらに他の実施例によれば、基地局の資源割り当て装置が提供される。前記装置は、半永久的資源を利用して半永久的スケジューリングまたは初期伝送の再伝送のために移動端末に資源を割り当てるスケジューラと；用途情報を有する半永久的資源割り当てメッセージを生成する資源割り当てメッセージ生成器と；前記資源割り当てメッセージ生成器を制御し、前記半永久的資源割り当てメッセージの用途によって前記用途情報を設定する半永久的資源制御機と；前記半永久的資源制御機の制御下に前記移動端末に半永久的資源割り当てメッセージを伝送する送受信部と；を含む。
【発明の効果】
【００１４】
本発明によれば、半永久的伝送資源割り当てメッセージに半永久的伝送資源割り当て用であるか、または、パケットの再伝送による資源割り当て用であるかを通知する用途情報を含んで伝送することによって、半永久的伝送資源の再伝送の信頼性を向上させることができる。また、携帯端末機がパケットの状態を別に保存しなくても、パケットの再伝送による資源割り当て可否を確認することができ、端末の複雑度を軽減することができる。
【図面の簡単な説明】
【００１５】
【図１】本発明の実施例が適用されるＬＴＥ構造を示す概略図である。
【図２】図１のＬＴＥ構造で使用されるユーザ平面プロトコルスタックを示す図である。
【図３】本発明の実施例による資源割り当て方法で使用される半永久的資源割り当てメッセージフォーマットを示す図である。
【図４】本発明の好ましい実施例による無線通信の資源割り当て方法を利用した下向きデータ伝送を説明するための概念図である。
【図５】本発明の一実施例による資源割り当て方法の半永久的資源割り当て手続を示す流れ図である。
【図６】本発明の一実施例による資源割り当て方法の再伝送資源割り当て手続を示す流れ図である。
【図７】本発明の実施例による資源割り当て方法の資源割り当てメッセージ区分手続を示す図である。
【図８】本発明の実施例による携帯端末機の構成を説明するための図である。
【図９】本発明の実施例による基地局の構成を説明するための図である。
【発明を実施するための形態】
【００１６】
以下、添付の図面を参照しながら本発明の好ましい実施例を詳しく説明する。なお、添付の図面で、同一の構成要素は、できるだけ同一の符号で示している。また、本発明の要旨を不明瞭にすることができる公知機能及び構成に対する詳細な説明は省略する。
【００１７】
図１は、本発明の実施例が適用されるＬＴＥ構造を示す概略図である。
【００１８】
図１を参照すれば、本発明の実施例による無線通信システムにおいて、無線アクセスネットワーク（Ｅｖｏｌｖｅｄ  Ｒａｄｉｏ  Ａｃｃｅｓｓ  Ｎｅｔｗｏｒｋ：以下、Ｅ−ＲＡＮという）１１０、１１２は、ＥＮＢ（Ｅｖｏｌｖｅｄ  Ｎｏｄｅ  Ｂ）１２０、１２２、１２４、１２６、１２８とＥＧＧＳＮ（Ｅｖｏｌｖｅｄ  Ｇａｔｅｗａｙ  ＧＰＲＳ  Ｓｅｒｖｉｎｇ  Ｎｏｄｅ）１３０、１３２の２ノード構造よりなる。ここで、ＧＰＲＳは、Ｇｅｎｅｒａｌ  Ｐａｃｋｅｔ  Ｒａｄｉｏ  Ｓｅｒｖｉｃｅの略語である。
【００１９】
ＵＥ（Ｕｓｅｒ  Ｅｑｕｉｐｍｅｎｔ）１０１は、Ｅ−ＲＡＮ１１０、１１２によってＩＰ（Ｉｎｔｅｒｎｅｔ  Ｐｒｏｔｏｃｏｌ）ネットワーク１１４に接続する。ＥＮＢ１２０、１２２、１２４、１２６、１２８は、既存のＮｏｄｅ  Ｂに対応するノードであって、ＵＥ１０１と無線チャネルで連結される。既存のＮｏｄｅ  Ｂとは異なって、ＥＮＢ１２０、１２２、１２４、１２６、１２８は、さらに複雑な役目を行う。次世代無線通信システムは、ＶｏＩＰ（Ｖｏｉｃｅ  ｏｖｅｒ  ＩＰ）のようなリアルタイムサービスを含めたすべてのユーザトラフィックが共用チャネル（ｓｈａｒｅｄ  ｃｈａｎｎｅｌ）を通じてサービスされる。このような理由で、ＵＥ１０１の状況情報をまとめてスケジューリングする装置が必要であり、ＥＮＢ１２０、１２２、１２４、１２６、１２８が前記スケジューリングを担当する。１つのＥＮＢ（１２０、１２２、１２４、１２６、１２８のうち１つ）は、多数のセルを制御する。最大１００Ｍｂｐｓの伝送速度を具現するために、無線通信システムは、２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭという）を無線接続技術として使用する。また、ＵＥ１０１のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下、ＡＭＣという）方式を適用することができる。
【００２０】
以下、“基地局”という用語が図１でＥ−ＲＡＮ（ＥＮＢ１２０と１２２及びＥＧＧＳＮ１３０）を含むＥ−ＲＡＮ１１０によって表される“Ｅ−ＲＡＮ”とともに使用される。（ｅＮＢ１２６と１２８及びＥＧＧＳＮ１３２を含む）前記Ｅ−ＲＡＮ１１２も基地局と呼ばれ、“移動端末”という用語は、図１でＵＥ１０１で表される用語“ＵＥ”と重複して使用される。
【００２１】
以下、図１のＬＴＥ構造で使用されるプロトコルスタックを説明する。図２は、図１のＬＴＥ構造で使用されるユーザ平面プロトコルスタックを示す図である。
【００２２】
図２に示されたように、前記移動端末１００は、ＰＤＣＰ（Ｐａｃｋｅｔ  Ｄａｔａ  Ｃｏｎｖｅｒｇｅｎｃｅ  Ｐｒｏｔｏｃｏｌ）階層２０５、無線リンク制御（Ｒａｄｉｏ  Ｌｉｎｋ  Ｃｏｎｔｒｏｌ、以下、ＲＬＣという）階層２１０、ＭＡＣ（Ｍｅｄｉｕｍ  Ａｃｃｅｓｓ  Ｃｏｎｔｒｏｌ）階層２１５、及び物理階層（ＰＨＹ、Ｐｈｙｓｉｃａｌ）２２０で構成されるプロトコルスタックを有する。前記基地局も、ＰＤＣＰ階層２４０、ＲＬＣ階層２３５、ＭＡＣ階層２３０及びＰＨＹ階層２２５で構成されるプロトコルスタックを有する。
【００２３】
ＰＤＣＰ（Ｐａｃｋｅｔ  Ｄａｔａ  Ｃｏｎｖｅｒｇｅｎｃｅ  Ｐｒｏｔｏｃｏｌ）２０５、２４０階層は、ＩＰヘッダー圧縮／復元などの動作を担当する。ＲＬＣ階層２１０、２３５は、ＰＤＣＰ  ＰＤＵ（Ｐａｃｋｅｔ  Ｄａｔａ  Ｕｎｉｔ、以下、特定のプロトコル階層装置で出力されるパケットを前記プロトコルのＰＤＵと称する）を適切なサイズに再構成し、ＡＲＱ（Ａｕｔｏｍａｔｉｃ  Ｒｅｐｅａｔ  ｒｅｑｕｅｓｔ）、ＨＡＲＱ（Ｈｙｂｒｉｄ−Ａｕｔｏｍａｔｉｃ  Ｒｅｐｅａｔ  ｒｅｑｕｅｓｔ）動作などを行う。
【００２４】
ＭＡＣ２１５、２３０は、一端末に構成された様々なＲＬＣ階層装置と連結される。このようなＭＡＣ２１５、２３０は、ＲＬＣ階層装置で各々出力される様々なＲＬＣ  ＰＤＵをＭＡＣＰＤＵに多重化（ｍｕｌｔｉｐｌｅｘｉｎｇ）し、ＭＡＣ  ＰＤＵからＲＬＣ  ＰＤＵを逆多重化（ｄｅｍｕｌｔｉｐｌｅｘｉｎｇ）する動作を行う。
【００２５】
物理階層２２０、２２５は、上位階層データをチャネルコーディング及び変調し、ＯＦＤＭシンボルに作って無線チャネルを通じて伝送するか、または無線チャネルを通じて受信したシンボルを復調し、チャネルデコーディングし、上位階層に伝達する動作を行う。
【００２６】
ＬＴＥシステムでは、ＨＡＲＱを利用してデータの信頼性を高める。ここで、送信側は、携帯端末機１００及び基地局２００のうちいずれか一方になることができる。また、受信側は、携帯端末機１００及び基地局２００のうち送信側の反対になることができる。送信側が特定パケット（例えば、ＭＡＣ  ＰＤＵ）を伝送した場合、このようなパケットの受信に失敗した場合、受信側では、ＮＡＣＫ（ｎｏｎ−ａｃｋｎｏｗｌｅｄｇｅ）を伝送し、ＮＣＡＫを受信した送信側では、当該パケット（ＭＡＣ−ＰＤＵ）を再伝送する。これにより、受信側は、再伝送したパケットを受信し、当該パケットを既に受信したパケットと軟性結合し、データの信頼性を高める。
【００２７】
本発明の一実施例による無線通信システムにおいて、すべてのサービスをＩＰ基盤またはパケット基盤に提供することができる。例えば、音声通話の場合にも、回線交換の代わりに、パケット交換方式でサービスされることができる。特に、ＶｏＩＰトラフィックは、サイズが小さいパケットが一定の周期をもって持続的に発生する特徴を有する。例えば、１２．２ｋｂｐｓＡＭＲコーデックモードで動作するＶｏＩＰサービスでは、３５バイト程度のサイズを有するパケットが２０ｍｓｅｃごとに発生する。１つのＶｏＩＰパケットを一般的なスケジューリング方式で支援しようとすれば、パケットが発生する度にスケジューリングを要請する情報と逆方向（ＵＰ  ＬＩＮＫ）伝送資源割り当て情報などが伝送されなければならない。
【００２８】
基地局２００は、半永久的伝送資源（ｓｅｍｉ  ｐｅｒｓｉｓｔｅｎｔ  ｒｅｓｏｕｒｃｅｓ）を携帯端末機１００に割り当てることによって、スケジューリング要請情報及び伝送資源割り当て情報などのトラフィックを減少させることができる。このような半永久的伝送資源を利用したパケット受信は、割り当てられた周期によって一定のサイズのデータを割り当てられた資源を利用して送信または受信する。このような技法を半永久的伝送資源割り当て技法（ＳＰＳ、ｓｅｍｉ  ｐｅｒｓｉｓｔｅｎｔ  ｒｅｓｏｕｒｃｅｓ  ｓｃｈｅｄｕｌｉｎｇ）と言う。
【００２９】
一方、一般的な伝送資源の場合、前述したようなＨＡＲＱのような動作を行うために、パケットを伝送する度に伝送されるパケットの伝送資源を通知する“一般的な伝送資源割り当てメッセージ”が伝送される。一方、半永久的伝送資源は、所定サイズの伝送資源（例えば、１つ以上のリソースブロック）が所定周期で割り当てられる。したがって、携帯端末機１００は、割り当てられた周期の半永久的伝送資源を通じてパケットを受信する。このような理由で、基地局は、パケットの再伝送時には、再伝送パケットに対する伝送資源を割り当てるが、割り当てられた半永久的伝送資源を通じてパケットを最初伝送する場合、基地局２００は、別に半永久的伝送資源割り当てメッセージを伝送する必要がない。
【００３０】
この時、携帯端末機１００が半永久的伝送資源割り当てメッセージを予期外の理由に起因して受信しないか、または受信を失敗した場合に、後続に受信される半永久的伝送資源割り当てメッセージが、半永久的伝送資源の割り当て（または再割り当て）用であるか、あるいは、半永久的伝送資源を通じて最初に伝送したパケットの再伝送のための資源割り当て用であるか、その用途を区分することができない。
【００３１】
本発明の実施例によれば、半永久的伝送資源割り当てメッセージの用途を区分することができるようにする。以下では、本発明の実施例による半永久的伝送資源割り当てメッセージについて説明する。図３は、本発明の実施例による資源割り当て方法で使用される半永久的資源割り当てメッセージフォーマットを示す図である。
【００３２】
図３を参照すれば、本発明の実施例による半永久的伝送資源割り当てメッセージは、資源ブロック割り当て（ＲＢ  ａｓｓｉｇｎｍｅｎｔ）３０５、変調／チャネルコーディング（ＭＣＳ、Ｍｏｄｕｌａｔｉｏｎ  ａｎｄ  Ｃｏｄｉｎｇ）３１０、ＮＤＩ（Ｎｅｗ  Ｄａｔａ  Ｉｎｄｉｃａｔｏｒ）３１５及びＣＲＣ（Ｃｙｃｌｉｃ  Ｒｅｄｕｎｄａｎｃｙ  Ｃｈｅｃｋｉｎｇ）フィールド３３５を備えて構成される。ここで、参照符号３３０は、前述したフィールド以外の他のフィールドを意味し、“ＨＡＲＱ  ｐｒｏｃｅｓｓ  ｎｕｍｂｅｒ”などが含まれることができる。発明の要旨を不明瞭にしないために、その詳細な説明を省略する。
【００３３】
資源ブロック（ＲＢ）割り当てフィールド３０５は、携帯端末機１００が使用する伝送資源の量と位置を示す情報である。単位伝送資源は、１ｍｓｅｃ長さと所定の帯域幅で構成されるリソースブロック（ＲＢ、Ｒｅｓｏｕｒｃｅ  Ｂｌｏｃｋ）であり、前記資源ブロック割り当てフィールド３０５を通じて少なくとも１つのリソースブロックが割り当てられる。このように、割り当てられた少なくとも１つのリソースブロックを“伝送資源”と言う。
【００３４】
変調／チャネルコーディングフィールド３１０は、伝送するデータに適用する変調方式とチャネルコーディング率を指示するフィールドである。変調／チャネルコーディングフィールド３１０は、５ビットの情報である。このような５ビットを構成するコードポイントは、変調方式とチャネルコーディング率の組み合わせよりなる。例えば、変調／チャネルコーディングフィールド３１０は、ＱＰＳＫ変調と０．１１チャネルコーディング率の組み合わせを指示するコードポイントから６４ＱＡＭ変調と０．９５チャネルコーディング率の組み合わせを指示するコードポイントまで３２個のコードポイントを指示することができる。
【００３５】
ＮＤＩフィールド３１５は、１ビットの値であり、当該メッセージが半永久的伝送資源割り当てメッセージであるか、または、伝送（または受信）失敗したパケットの再伝送を示すメッセージであるかを区分するための値を収納する。例えば、本発明の実施例では、ＮＤＩフィールド３１５の値が“０”の場合、半永久的伝送資源の割り当て用であり、ＮＤＩフィールド３１５の値が“１”の場合、半永久的伝送資源を通じて最初伝送したパケットの再伝送のための資源割り当て用であることを示す。
【００３６】
このように、ＮＤＩフィールド３１５には、当該メッセージが半永久的伝送資源割り当て用であるか、または再伝送資源割り当て用であるかを区分するための用途情報が収納される。したがって、ＮＤＩフィールド３１５の値は、半永久的伝送資源割り当てメッセージが、半永久的伝送資源割り当て用メッセージであるか、あるいは再伝送資源割り当て用メッセージであるかを区分するために使用される。
【００３７】
前述したように、ＮＤＩフィールド３１５に設定される値は、フラグ値であり、このようなフラグ値が“０”の場合、半永久的伝送資源割り当てに使用され、“１”の場合、再伝送資源割り当てに使用されることを示す“用途情報”である。本発明の実施例では、このような用途情報を記述するフィールドを限定し、その値を定義して説明するが、これに限定されるものではない。また、説明の便宜のために、ＮＤＩフィールド３１５に収納される値または情報を“用途情報”と混用して使用する。
【００３８】
ＣＲＣフィールド３３５には、伝送資源割り当てメッセージに収納された情報と半永久的伝送資源割り当て用識別子（ＳＰＳ  Ｃ−ＲＮＴＩ、ＳＰＳ  Ｃｅｌｌ  Ｒａｄｉｏ  Ｎｅｔｗｏｒｋ  Ｔｅｍｐｏｒａｒｙ  Ｉｄｅｎｔｉｔｙ）に対するＣＲＣ演算結果が収納される。ＳＰＳ  Ｃ−ＲＮＴＩは、当該メッセージが携帯端末機１００自身に来た半永久資源割り当てメッセージであるかを区分するためのものである。また、ＳＰＳ  Ｃ−ＲＮＴＩは、一般及び半永久的伝送資源割り当てメッセージを区分するためのものである。一般伝送資源割り当てメッセージには、Ｃ−ＲＮＴＩが使用されることができる。
【００３９】
基地局２００は、携帯端末機１００に伝送資源割り当てのために伝送資源割り当てメッセージを伝送することができる。この時、伝送資源割り当てメッセージは、“半永久的伝送資源割り当てメッセージ”と“一般的な伝送資源割り当てメッセージ”とに区分することができる。携帯端末機１００に半永久的伝送資源割り当てメッセージを伝送する場合、当該携帯端末機１００が自分に伝送される半永久的伝送資源割り当てメッセージであることを区分するためにＣＲＣ演算を使用する。
【００４０】
さらに詳細には、一般的な伝送資源割り当てメッセージ及び半永久的伝送資源割り当てメッセージを区分するために、各々Ｃ−ＲＮＴＩ及びＳＰＳ  Ｃ−ＲＮＴＩを利用して区分する。Ｃ−ＲＮＴＩは、一般的な伝送資源割り当てメッセージに使用され、ＳＰＳ  Ｃ−ＲＮＴＩは、半永久的伝送資源割り当てメッセージに使用される。また、ＳＰＳ  Ｃ−ＲＮＴＩは、特定の携帯端末機１００を識別するための値を有する。したがって、基地局２００は、特定の携帯端末機１００を識別するためのＳＰＳ  Ｃ−ＲＮＴＩを携帯端末機１００との呼設定時に当該携帯端末機１００に伝送する。
【００４１】
基地局２００が当該携帯端末機１００に半永久的伝送資源割り当てメッセージを伝送する場合、半永久的伝送資源割り当てメッセージにＳＰＳ Ｃ−ＲＮＴＩをマスキングし、ＣＲＣ演算を行う。その後、演算結果をＣＲＣフィールド３３５に含ませて伝送する。
【００４２】
このような半永久的伝送資源割り当てメッセージを受信した携帯端末機１００は、受信した半永久的伝送資源割り当てメッセージに呼設定時に受信したＳＰＳ  Ｃ−ＲＮＴＩをマスキングし、ＣＲＣを行う。この時、ＣＲＣ結果、受信した半永久的伝送資源割り当てメッセージに含まれたＣＲＣ結果と一致すれば、携帯端末機１００は、受信した半永久的伝送資源割り当てメッセージが自分に受信された半永久的伝送資源割り当てメッセージであることを確認することができる。これを“ＣＲＣ成功”と称する。
【００４３】
一方、特定のメッセージを受信した後、当該メッセージにＣ−ＲＮＴＩをマスキングし、ＣＲＣを成功すれば、当該メッセージは、一般的な伝送資源割り当て用メッセージになる。
【００４４】
前述したような半永久的伝送資源メッセージを利用した再伝送資源割り当て方法について説明する。図４は、本発明の好ましい実施例による無線通信の資源割り当て方法を利用した下向きデータ伝送を説明するための概念図である。
【００４５】
図４にＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）を示した。ＰＤＣＣＨを通じて基地局２００が半永久的伝送資源割り当てメッセージを伝送すれば、携帯端末機１００は、当該半永久的伝送資源割り当てメッセージを解釈し、半永久的伝送資源を割り当てられる。割り当てられた半永久的伝送資源によって、携帯端末機１００は、基地局２００がＰＤＳＣＨを通じて伝送するパケットを受信する。
【００４６】
参照符号４０５、４１５及び４３０は、半永久的伝送資源割り当てメッセージであり、参照符号４１０、４２０、４２５及び４３５は、パケットを示す。
【００４７】
基地局２００は、携帯端末機１００に半永久的伝送資源を割り当てるために、任意の時点に半永久的伝送資源割り当てメッセージ４０５を伝送する。
【００４８】
この時、基地局２００は、半永久的伝送資源割り当てメッセージ４０５のＣＲＣフィールド３３５にＣＲＣ演算結果を収納する。この時、ＣＲＣは、半永久的伝送資源割り当て用識別子ＳＰＳ  Ｃ−ＲＮＴＩを利用して行う。また、基地局２００は、ＮＤＩフィールド３１５には、半永久的伝送資源割り当てメッセージを指示する値である“０”を記述して伝送する。
【００４９】
携帯端末機１００は、このような半永久的伝送資源割り当てメッセージ４０５を受信し、ＮＤＩフィールドの値“０”を通じて半永久的伝送資源割り当て用であることを認知する。前記メッセージ４０５に収納された情報によって半永久的伝送資源を割り当てられ、割り当てられた半永久的伝送資源を通じて所定の周期ごとに最初伝送パケット４１０、４２５を受信する。
【００５０】
携帯端末機１００は、パケットを受信する度に当該パケットのエラーを検出するためのＣＲＣを行い、最初伝送パケット４１０のＣＲＣ結果、エラーが発生したと仮定する。すると、携帯端末機１００は、基地局２００にＨＡＲＱ  ＮＡＣＫを伝送する。
【００５１】
ＨＡＲＱ  ＮＡＣＫを受信した基地局２００が半永久的伝送資源を通じて既伝送のパケット４１０に対して再伝送を行う場合、基地局２００は、半永久的伝送資源割り当てメッセージ４１５のＣＲＣフィールド３３５にＳＰＳ  Ｃ−ＲＮＴＩを利用して行われたＣＲＣ演算結果を収納し、ＮＤＩフィールド３１５には、半永久的伝送資源を通じて伝送したパケットの再伝送であることを通知する値である“１”を記述して伝送する。
【００５２】
次に、半永久的伝送資源割り当てメッセージ４１５を受信した携帯端末機１００は、ＣＲＣ演算結果を通じて自分に伝送された半永久的伝送資源割り当てメッセージであることを確認する。その後、受信した半永久的伝送資源割り当てメッセージ４１５のＮＤＩフィールド３１５を検索する。この時、ＮＤＩフィールド３１５の値が再伝送資源割り当てであることを通知する値である“１”なので、携帯端末機１００は、当該半永久的伝送資源割り当てメッセージ４１５を再伝送資源割り当てメッセージとして判断する。これにより、携帯端末機１００は、当該メッセージ４１５の資源ブロック割り当てフィールド３０５を確認し、当該伝送資源を通じて再伝送パケット４２０を受信する。その後、再伝送パケット４２０と以前に受信したパケット４１０を軟性結合するＨＡＲＱ動作を行う。
【００５３】
その後、任意の時点に基地局２００が携帯端末機１００の半永久的伝送資源を変更しようとする場合、基地局２００は、携帯端末機１００に変更しようとする半永久的伝送資源に対する情報を有する半永久的伝送資源割り当てメッセージ４３０を伝送する。
【００５４】
この時、半永久的伝送資源割り当てメッセージ４３０のＣＲＣフィールド３３５には、ＳＰＳ  Ｃ−ＲＮＴＩを利用して行われたＣＲＣ演算結果が収納され、ＮＤＩフィールド３１５には、半永久的伝送資源割り当てメッセージを指示する値である“０”を記述して伝送する。
【００５５】
携帯端末機１００は、このような半永久的伝送資源割り当てメッセージ４３０を受信すれば、ＮＤＩフィールド値“０”を通じて半永久的伝送資源割り当て用であることを把握することができる。前記メッセージ４３０に収納された情報によって半永久的伝送資源を割り当てられ、半永久的伝送資源割り当てメッセージ４３０が指示するところにより所定の周期ごとに到来する半永久的伝送資源を通じて最初伝送パケット４３５を受信する。
【００５６】
前述したように、本発明の実施例によれば、ＮＤＩフィールド３１５の値を通じて半永久的伝送資源割り当てメッセージが半永久的伝送資源割り当て用であるか、それとも、再伝送パケットの伝送資源を割り当て用であるかを明確に区分することができる。
【００５７】
また、携帯端末機１００が再伝送パケットであるか否かを区分するために、別に更新すべき“ＮＤＩ＿ＬＡＴＥＳＴ”のようなデータもない。したがって、無線通信システムの正確性及び効率を高めることができる利点がある。
【００５８】
以下、本発明の資源割り当て方法をさらに詳細に説明する。
【００５９】
前述したように、本発明の実施例による半永久的伝送資源割り当てメッセージは、半永久的伝送資源を割り当てるためのものと、半永久的伝送資源を通じて伝送したパケットの再伝送のための伝送資源を割り当てるためのものがある。
【００６０】
図５は、本発明の一実施例による資源割り当て方法の半永久的資源割り当て手続を示す流れ図であり、図６は、本発明の一実施例による資源割り当て方法の再伝送資源割り当て手続を示す流れ図である。
【００６１】
本発明の実施例による基地局は、半永久的伝送資源割り当てメッセージを伝送する場合、まず、伝送する半永久的伝送資源割り当てメッセージが、半永久的伝送資源を割り当てるためのものであるか、あるいは、半永久的伝送資源を通じて伝送したパケットの再伝送のための伝送資源を割り当てするためのものであるかを判断する。
【００６２】
その後、前記判断結果、半永久的伝送資源割り当てメッセージが、半永久的伝送資源を割り当てるためのものである場合、図５の過程を行う。一方、前記判断結果、半永久的伝送資源割り当てメッセージが、半永久的伝送資源を通じて伝送したパケットの再伝送のための伝送資源を割り当てするためのものなら、図６の過程を行う。
【００６３】
図５を参照すれば、半永久的伝送資源を割り当てするために、基地局２００は、段階５０５で、携帯端末機１００に割り当てようとする半永久的伝送資源情報を有する半永久的伝送資源割り当てメッセージを構成する。この時、半永久的伝送資源に対する情報は、資源ブロック割り当てフィールド３０５に記述される。
【００６４】
その後、基地局２００は、段階５１０で、半永久的伝送資源割り当てメッセージのＮＤＩフィールド３１５の値を“０”に設定する。
【００６５】
その後、基地局２００は、段階５１５で、ＳＰＳ  Ｃ−ＲＮＴＩを利用してＣＲＣ演算を行う。ＳＰＳ  Ｃ−ＲＮＴＩを利用したＣＲＣを通じて特定端末を識別し、一般的な伝送資源割り当てメッセージと半永久的伝送資源割り当てメッセージを区分することができる。
【００６６】
次に、基地局２００は、段階５２０で、ＣＲＣ演算結果を半永久的伝送資源割り当てメッセージのＣＲＣフィールド３３５に記述する。
【００６７】
次に、基地局２００は、段階５２５で、半永久的伝送資源割り当てメッセージをＰＤＣＣＨを通じて伝送する。
【００６８】
図５を参照して前述したように、基地局２００は、当該伝送資源割り当てメッセージが半永久的伝送資源割り当てのためのメッセージであることを示すために、伝送資源割り当てメッセージのＮＤＩフィールド３１５の値を“０”に設定する。
【００６９】
これに対応して、既に割り当てられた半永久的伝送資源を通じて最初伝送したパケットを再伝送しなければならない場合に、伝送資源割り当てのためのメッセージについて説明する。
【００７０】
端末１００に割り当てられた半永久的資源を利用して再伝送資源を割り当てる手続を図６を参照して詳細に説明する。
【００７１】
ＨＡＲＱ  ＮＡＣＫメッセージが受信されれば、基地局は、前記ＨＡＲＱ  ＮＡＣＫメッセージによって指示されるパケットを再伝送するための再伝送資源を割り当てる。
【００７２】
図６を参照すれば、既に割り当てられた半永久的伝送資源を通じて最初伝送したパケットを再伝送しなければならない場合、再伝送のための伝送資源を割り当てなければならない。このために、基地局２００は、段階６０５で、携帯端末機１００に再伝送するパケットの再伝送資源に対する情報を有する半永久的伝送資源割り当てメッセージを構成する。この時、再伝送資源に対する情報は、資源ブロック割り当てフィールド３０５に記述される。
【００７３】
その後、基地局２００は、段階６１０で、半永久的伝送資源割り当てメッセージのＮＤＩフィールド３１５の値を“１”に設定する。
【００７４】
その後、基地局２００は、段階６１５で、ＳＰＳ Ｃ−ＲＮＴＩを利用してＣＲＣ演算を行う。ＳＰＳ  Ｃ−ＲＮＴＩを利用したＣＲＣを通じて特定端末を識別し、一般的な伝送資源割り当てメッセージと半永久的伝送資源割り当てメッセージを区分することができる。
【００７５】
次に、基地局２００は、段階６２０で、ＣＲＣ演算結果を半永久的伝送資源割り当てメッセージのＣＲＣフィールド３３５に記述する。
【００７６】
次に、基地局２００は、段階６２５で、前述したＣＲＣ演算結果が含まれた半永久的伝送資源割り当てメッセージをＰＤＣＣＨを通じて伝送する。
【００７７】
前述したように、基地局は、半永久的伝送資源割り当てメッセージを伝送するにあたって、半永久的伝送資源用と、再伝送用を区分して伝送する。
【００７８】
次に、前述したような半永久的伝送資源割り当てメッセージを受信する携帯端末機１００の動作について説明する。図７は、本発明の実施例による資源割り当て方法の資源割り当てメッセージ区分手続を示す流れ図である。
【００７９】
図７で、携帯端末機１００が基地局２００との呼設定過程でＣ−ＲＮＴＩ及びＣＳＰＣ−ＲＮＴＩを既に取得したものと仮定する。
【００８０】
図７を参照すれば、携帯端末機１００は、段階７０５で、ＰＤＣＣＨを監視する。すなわち、携帯端末機１００は、段階７０５で、ＰＤＣＣＨを通じて特定メッセージを受信すれば、受信した特定メッセージにＣ−ＲＮＴＩまたはＳＰＳ  Ｃ−ＲＮＴＩをマスキングした後、ＣＲＣを行い、携帯端末機１００自分に伝送される伝送資源割り当てメッセージがあるか否かを確認する。
【００８１】
この時、段階７１０で、携帯端末機１００が携帯端末機１００自分の半永久的伝送資源割り当てメッセージを受信すれば、携帯端末機１００は、段階７１５に進行する。ここで、携帯端末機１００は、ＰＤＣＣＨを通じて一般的な伝送資源割り当てメッセージ及び半永久的伝送資源割り当てメッセージを受信することができる。したがって、携帯端末機は、段階７１０で自分のＳＰＳ  Ｃ−ＲＮＴＩが使用された半永久的伝送資源割り当てメッセージを受信すれば、携帯端末機１００は、段階７１５に進行する。
【００８２】
前述したように、ＣＲＣ演算は、携帯端末機１００が受信した特定のメッセージに既に取得した自分のＳＰＳ  Ｃ−ＲＮＴＩをマスキングし、マスキングした特定メッセージをＣＲＣする過程を言う。ＣＲＣ成功の場合は、ＣＲＣ演算結果、前記特定メッセージのＣＲＣフィールド３３５の値が一致した場合を言う。
【００８３】
ＣＲＣ成功の場合、携帯端末機１００は、段階７１５で、伝送資源割り当てメッセージのＮＤＩフィールド３１５を検索する。前述したように、ＮＤＩフィールド３１５の値が“１”の場合、パケットの再伝送のための伝送資源割り当てメッセージであり、ＮＤＩフィールド３１５の値が“０”である場合、半永久的伝送資源割り当てメッセージである。
【００８４】
段階７１５の検索結果、ＮＤＩフィールド３１５の値が“１”なら、携帯端末機１００は、段階７２０で、受信した半永久的伝送資源割り当てメッセージがパケットの再伝送資源割り当てを示すメッセージであると判断する。これにより、携帯端末機１００は、段階７２５で、前記メッセージが指示するＨＡＲＱプロセスに保存されているパケットと前記伝送資源割り当てメッセージが指示するＰＤＳＣＨを通じて受信したパケットを軟性結合するＨＡＲＱ動作を行う。
【００８５】
一方、段階７１５の検索結果、ＮＤＩフィールド３１５の値が“０”なら、携帯端末機１００は、段階７３０で、半永久的伝送資源割り当てメッセージが半永久的伝送資源割り当て用メッセージであると判断する。これにより、携帯端末機１００は、段階７３５で、半永久的伝送資源割り当てメッセージが指示する伝送資源を半永久的伝送資源に活性化する。すなわち、携帯端末機１００は、受信した半永久的伝送資源割り当てメッセージの伝送資源割り当てフィールド３０５が指示する伝送資源を半永久的伝送資源割り当てメッセージとする。この時、既に活性化した半永久的伝送資源がある場合、当該伝送資源を変更する。
【００８６】
次に、本発明の実施例による携帯端末機１００の概略的な構造について説明する。図８は、本発明の実施例による携帯端末機の構成を説明するための図である。
【００８７】
図８を参照すれば、本発明の実施例による携帯端末機１００は、上位階層装置８０５、ＨＡＲＱ（Ｈｙｂｒｉｄ−Ａｕｔｏｍａｔｉｃ  Ｒｅｐｅａｔ  ｒｅｑｕｅｓｔ）装置８１０、半永久的（ＳＰＳ、ｓｅｍｉ  ｐｅｒｓｉｓｔｅｎｔ  ｓｃｈｅｄｕｌｉｎｇ）伝送資源制御部８２０、送受信部８２５及びＰＤＣＣＨ処理部８３０を備えて構成される。
【００８８】
送受信部８２５は、無線チャネルを通じてデータを送受信するための装置である。特に、送受信部８２５は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通じてデータを送受信する。ＰＤＣＣＨを通じてデータを受信すれば、送受信部８２５は、ＰＤＣＣＨを通じて受信したデータをデコーディングし、ＰＤＣＣＨ処理部８３０に伝達する。ここで、データは、半永久的伝送資源割り当てメッセージを含む。
【００８９】
ＰＤＣＣＨ処理部８３０は、送受信部８２５からデコーディングされた半永久的伝送資源割り当てメッセージを伝達されれば、当該メッセージにＳＰＳ  Ｃ−ＲＮＴＩを各々マスキング（ｍａｓｋｉｎｇ）し、ＣＲＣ演算を行う。ＳＰＳ  Ｃ−ＲＮＴＩは、他の端末と自分を区分する識別子であり、一般的な伝送資源割り当てメッセージと半永久的伝送資源割り当てメッセージを区分するためのものである。すなわち、ＰＤＣＣＨ処理部８３０は、ＣＲＣ演算を行い、当該メッセージが自分に伝送されたメッセージであるか否かを判断し、半永久的伝送資源割り当てメッセージであることを認知することができる。ＰＤＣＣＨ処理部８３０は、ＣＲＣ演算結果、エラーがないものと判断された半永久的伝送資源割り当てメッセージを半永久的伝送資源制御部８２０に伝達する。
【００９０】
半永久的伝送資源制御部８２０は、ＰＤＣＣＨ処理部が伝達した伝送資源割り当てメッセージのＮＤＩフィールド３１５を検査し、当該伝送資源割り当てメッセージが半永久的伝送資源割り当てメッセージであるか、あるいは半永久的伝送資源に対する再伝送資源割り当てメッセージであるかを区分する。この時、受信した半永久的伝送資源割り当てメッセージのＮＤＩフィールド３１５の値によって前述したメッセージを区分する。
【００９１】
例えば、ＮＤＩフィールド３１５の値が“１”なら、半永久的伝送資源制御部８２０は、受信した半永久的伝送資源割り当てメッセージがパケットの再伝送を示すメッセージであると判断し、ＨＡＲＱプロセスに保存されているパケットと前記伝送資源割り当てメッセージが指示する伝送資源を通じて受信したパケットを軟性結合するようにＨＡＲＱ装置８１０を制御する。
【００９２】
一方、ＮＤＩフィールド３１５の値が“０”なら、半永久的伝送資源制御部８２０は、受信した半永久的伝送資源割り当てメッセージを半永久的伝送資源割り当て用メッセージとして判断する。したがって、半永久的伝送資源割り当てメッセージが指示する伝送資源を半永久的伝送資源に活性化する。すなわち、携帯端末機１００は、受信した半永久的伝送資源割り当てメッセージの伝送資源割り当てフィールド３０５が指示する伝送資源を半永久的伝送資源割り当てメッセージに活性化する。この時、既に活性化した半永久的伝送資源がある場合、当該伝送資源を変更する。その後、半永久的伝送資源制御部８２０は、活性化された半永久的伝送資源を通じてパケットを受信するように送受信部９２５を制御する。
【００９３】
ＨＡＲＱ装置８１０は、多数のＨＡＲＱプロセッサで構成され、ＨＡＲＱプロセス別にＨＡＲＱ動作を行う。すなわち、再伝送が行われたパケットに対して最初受信パケットと再伝送パケットを軟性結合するなどのＨＡＲＱ動作を行う。
【００９４】
上位階層装置８０５は、ＲＬＣ（Ｒａｄｉｏ  Ｌｉｎｋ  Ｃｏｎｔｒｏｌ）装置、ＰＤＣＰ（Ｐｈｙｓｉｃａｌ  Ｄｏｗｎｌｉｎｋ  Ｃｏｎｔｒｏｌ  Ｐｒｏｔｏｃｏｌ）装置及びＭＡＣの多重化装置などを含む。ＰＤＣＰ装置は、ＩＰヘッダーなどを圧縮するか復元する機能を行う装置であり、ＲＬＣ装置は、ＰＤＣＰ  ＰＤＵを適切なサイズに再構成するための装置であり、ＭＡＣの多重化装置は、多数のＭＡＣ  ＰＤＵを多重化及び逆多重化するための装置である。
【００９５】
次に、図９を参照して本発明の実施例による基地局２００について説明する。図９は、本発明の実施例による基地局の構成を説明するための図である。
【００９６】
本発明の実施例による基地局２００は、上位階層装置９０５、ＨＡＲＱ装置９１０、送受信部９２５、半永久的伝送資源制御部９２０、伝送資源割り当てメッセージ発生部９３０及びスケジューラ９３５を備えて構成される。
【００９７】
送受信部９２５は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通じてデータを送受信する。ここで、送受信部９２５が送信するデータは、半永久的伝送資源割り当てメッセージを含む。
【００９８】
伝送資源割り当てメッセージ発生部９３０は、スケジューラと半永久的伝送資源制御部９２０の制御によって伝送資源割り当てメッセージを生成し、送受信部９２５に伝達する。
【００９９】
この時、スケジューラ９３５は、携帯端末機１００に伝送するデータの量、性格及び用途などを考慮して携帯端末機１００に伝送資源を割り当てる。特に、スケジューラ９３５は、半永久的伝送資源または再伝送資源などの伝送資源を各携帯端末機１００によって割り当てる。スケジューラ９３５は、伝送資源を割り当てる携帯端末機１００の識別子と割り当てる伝送資源の用途を考慮して伝送資源割り当てメッセージ発生部９３０が適切な伝送資源割り当てメッセージを生成するように制御する。この時、スケジューラ９３５は、半永久的伝送資源を割り当てるか、半永久的伝送資源を通じて伝送した最初のパケットに対する再伝送のための伝送資源を割り当てる場合、これを半永久的伝送資源制御部９２０に通知する。
【０１００】
半永久的伝送資源制御部９２０は、半永久的伝送資源を割り当てる場合に、伝送資源割り当てメッセージ発生部９３０が当該半永久的伝送資源メッセージのＮＤＩフィールド３１５の値を“０”に設定するように制御する。その後、半永久的伝送資源制御部９２０は、半永久的伝送資源を通じて割り当てた伝送資源の時点に当該伝送資源を通じてパケットを伝送するように送受信部９２５を制御する。
【０１０１】
また、半永久的伝送資源制御部９２０は、半永久的伝送資源に対する再伝送のための伝送資源が割り当てられる場合には、伝送資源割り当てメッセージ発生部９３０が当該半永久的伝送資源メッセージのＮＤＩフィールド３１５の値を“１”に設定するように制御する。その後、半永久的伝送資源制御部９２０は、割り当てた伝送資源の時点に当該伝送資源を通じて再伝送パケットを伝送するように送受信部９２５を制御する。
【０１０２】
整理すれば、半永久的伝送資源制御部９２０は、割り当てられた伝送資源が半永久的伝送資源であるかまたは再伝送資源であるかによって用途情報（ＮＤＩフィールドの値）を設定するように伝送資源割り当てメッセージ発生部９３０を制御する。
【０１０３】
また、半永久的伝送資源制御部９２０は、半永久的伝送資源用識別子（ＳＰＳ  Ｃ−ＲＮＴＩ）を利用してＣＲＣ演算を行い、演算結果を当該半永久的伝送資源メッセージのＣＲＣフィールド３３５に含ませる。
【０１０４】
ＨＡＲＱ装置９１０は、多数のＨＡＲＱプロセッサで構成され、ＨＡＲＱプロセス別にＨＡＲＱ動作を行う。すなわち、再伝送が行われたパケットに対して最初受信パケットと再伝送パケットを軟性結合するなどのＨＡＲＱ動作を行う。
【０１０５】
上位階層装置９０５は、ＲＬＣ（Ｒａｄｉｏ  Ｌｉｎｋ  Ｃｏｎｔｒｏｌ）装置、ＰＤＣＰ（Ｐｈｙｓｉｃａｌ  Ｄｏｗｎｌｉｎｋ  Ｃｏｎｔｒｏｌ  Ｐｒｏｔｏｃｏｌ）装置及びＭＡＣの多重化装置などを含む。ＰＤＣＰ装置は、ＩＰヘッダーなどを圧縮するかまたは復元する機能を行う装置であり、ＲＬＣ装置は、ＰＤＣＰＰＤＵを適切なサイズに再構成する装置である。ＭＡＣの多重化装置は、多数のＭＡＣＰＤＵを多重化及び逆多重化するための装置である。
【０１０６】
一方、本明細書と図面に開示された本発明の実施例は、本発明の技術内容を容易に説明し、本発明の理解を助けるために特定例を提示したものに過ぎず、本発明の範囲を限定しようとするものではない。
【符号の説明】
【０１０７】
１０１  ＵＥ
１１２  Ｅ−ＲＡＮ
１２０  ＥＮＢ
【図２】
2016026417.tif 000003
【図３】
2016026417.tif 000004
【図５】
2016026417.tif 000005
【図６】
2016026417.tif 000006
【図７】
2016026417.tif 000007
【図８】
2016026417.tif 000008
【図９】
2016026417.tif 000009
【図１】
2016026417.tif 000010
【図４】
2016026417.tif 000011